(57)【要約】      （修正有）【課題】例えば、重度の肢体不自由者が使用する機器を収納するボックスを多目的に使用できるようにして、廉価な多目的押しボタンスイッチ装置を提供する。【解決手段】角形ケース体１８の天井部１５の矩形開口部１４の長手方向の一方側端部に第１の軸受部２６を介して回動自在に装着され、かつ弾性部材２８によって押し戻し可能な押しボタン２９を有する多目的押しボタンスイッチ装置１０において、他方側端部にも、押しボタン２９を回動可能に取付ける第２の軸受部２７を有し、下側ケース１３には、角形ケース体１８に内蔵される配線基板３０を固定する支持部材３２が設けられ、角形ケース体１８の正面壁１９の中央で上側ケース１７と下側ケース１３の連結部３５には、配線基板３０に搭載された発光ダイオード３６の先部が覗く、又は配線基板３０の接続コードＡが通過する窓部３７が設けられている。【選択図】図３
0003113294.tif 000002
【実用新案登録請求の範囲】
【請求項１】
矩形の底部及び該底部に一体的に連結する下壁部を有する下側ケース、及び矩形開口部が形成された天井部及び該天井部に一体的に連結する上壁部を有する上側ケースが分離可能に連結して、前記上壁部と前記下壁部によってそれぞれ正面壁、背面壁、右側面壁、及び左側面壁を構成する角形ケース体と、
前記角形ケース体の前記正面壁から前記背面壁に渡って長い前記矩形開口部の長手方向の一方側端部に第１の軸受部を介して回動自在に装着され、かつ弾性部材によって押し戻し可能な押しボタンとを有する多目的押しボタンスイッチ装置において、
前記矩形開口部の長手方向の他方側端部にも、前記押しボタンを回動可能に取付ける第２の軸受部を有し、
前記下側ケースには、前記角形ケース体に内蔵される配線基板を固定する支持部材が設けられ、
前記角形ケース体の正面壁の中央で前記上側ケースと前記下側ケースの連結部には、前記配線基板に搭載された発光ダイオードの先部が覗く、又は前記配線基板の接続コードＡが通過する窓部が設けられていることを特徴とする多目的押しボタンスイッチ装置。
【請求項２】
請求項１記載の多目的押しボタンスイッチ装置において、前記角形ケース体の背面壁には、前記配線基板に連結されているピンジャックの装着孔と、前記配線基板に接続する配線コードＢ、Ｃが接続される第１、第２の配線取付け孔とが設けられ、しかも、前記ピンジャックの装着孔と前記第１、第２の配線取付け孔は取り外し可能な盲蓋によって覆われていることを特徴とする多目的押しボタンスイッチ装置。
【請求項３】
請求項２記載の多目的押しボタンスイッチ装置において、前記ピンジャックの装着孔は前記上側ケースに形成され、前記第１、第２の配線取付け孔は前記下側ケースに形成されていることを特徴とする多目的押しボタンスイッチ装置。
【請求項４】
請求項１〜３のいずれか１項に記載の多目的押しボタンスイッチ装置において、前記角形ケース体は、平面視して幅が５〜８ｃｍ、長さが８〜１２ｃｍ、及び高さが２〜４ｃｍとなって、前記矩形開口部は、前記天井部よりも小さくかつ幅が３〜５ｃｍ及び長さが６〜１０ｃｍに形成され、前記角形ケース体に取付けられた前記押しボタンの突出高さが１〜３ｃｍとなっていることを特徴とする多目的押しボタンスイッチ装置。
【考案の詳細な説明】
【技術分野】
【０００１】
本考案は、例えば、身体障害者、特に頸髄損傷等による重度の肢体不自由者が使用するリモコンやチャイムコールとして使用できる多目的押しボタンスイッチ装置に関する。
【背景技術】
【０００２】
例えば、身体障害者、特に頸髄損傷等による重度の肢体不自由者は、テレビやビデオ等で使用されているリモコンは使用不可能であるから、例えば、特許文献１には押しボタンの数を減らした２出力押しボタンスイッチ装置が提案されている。
また、ビデオゲーム等を重度の肢体不自由者が楽しめるように、特許文献２において、スイッチを簡略化した装置が提案されている。
【０００３】
【特許文献１】特開２００１−７６５６７号公報
【特許文献２】特開２００４−１４１５７２号公報（図５）
【考案の開示】
【考案が解決しようとする課題】
【０００４】
しかしながら、特許文献１や２に記載されたスイッチは、その用途に応じて出力部（例えば、発光ダイオード、リード線、ピンジャック）や押しボタンの取付け位置が異なり、これらの用途に応じてスイッチボックス（スイッチケース）を用意する必要がある。通常、プラスチック製のスイッチボックスは金型成形によって製造されるので、金型製造のため製造原価が高騰し、一定の数を確保して製造しなければ採算が取れないという問題がある。特に、重度の肢体不自由者が使用するリモコンボックス及びスイッチボックスは大量の需要がある分けではなく、従って、スイッチボックス製造のために多大なコストがかかり、結果として製品の値段が高騰せざるを得ないという問題がある。
【０００５】
本考案はかかる事情に鑑みてなされたもので、例えば、重度の肢体不自由者が使用する機器を収納するボックスを多目的に使用できるようにして、廉価な製品を提供できる多目的押しボタンスイッチ装置を提供することを目的とする。
【課題を解決するための手段】
【０００６】
前記目的に沿う本考案に係る多目的押しボタンスイッチ装置は、矩形の底部及び該底部に一体的に連結する下壁部を有する下側ケース、及び矩形開口部が形成された天井部及び該天井部に一体的に連結する上壁部を有する上側ケースが分離可能に連結して、前記上壁部と前記下壁部によってそれぞれ正面壁、背面壁、右側面壁、及び左側面壁を構成する角形ケース体と、
前記角形ケース体の前記正面壁から前記背面壁に渡って長い前記矩形開口部の長手方向の一方側端部に第１の軸受部を介して回動自在に装着され、かつ弾性部材によって押し戻し可能な押しボタンとを有する多目的押しボタンスイッチ装置において、
前記矩形開口部の長手方向の他方側端部にも、前記押しボタンを回動可能に取付ける第２の軸受部を有し、
前記下側ケースには、前記角形ケース体に内蔵される配線基板を固定する支持部材が設けられ、
前記角形ケース体の正面壁の中央で前記上側ケースと前記下側ケースの連結部には、前記配線基板に搭載された発光ダイオードの先部が覗く、又は前記配線基板の接続コードＡが通過する窓部が設けられている。
【０００７】
本考案に係る多目的押しボタンスイッチ装置において、前記角形ケース体の背面壁には、前記配線基板に連結されているピンジャックの装着孔と、前記配線基板に接続する配線コードＢ、Ｃが接続される第１、第２の配線取付け孔とが設けられ、しかも、前記ピンジャックの装着孔と前記第１、第２の配線取付け孔は取り外し可能な盲蓋によって覆われていてもよい。
本考案に係る多目的押しボタンスイッチ装置において、前記ピンジャックの装着孔は前記上側ケースに形成され、前記第１、第２の配線取付け孔は前記下側ケースに形成されてもよい。
本考案に係る多目的押しボタンスイッチ装置において、前記角形ケース体は、平面視して幅が５〜８ｃｍ、長さが８〜１２ｃｍ、及び高さが２〜４ｃｍとなって、前記矩形開口部は、前記天井部よりも小さくかつ幅が３〜５ｃｍ及び長さが６〜１０ｃｍに形成され、前記角形ケース体に取付けられた前記押しボタンの突出高さが１〜３ｃｍとなっているのが好ましい。
【考案の効果】
【０００８】
請求項１〜４に記載の多目的押しボタンスイッチ装置においては、角形ケース体の正面壁に、配線基板に搭載された発光ダイオードの先部が覗く、又は配線基板の接続コードＡが通過する窓部が設けられているので、窓部から発光ダイオードの先端を覗かせた場合には例えばリモコンとして使用でき、接続コードＡを通過させた場合には例えば呼出装置用のスイッチとして使用でき、１つの角形ケース体を多目的に使用して、製造コストを下げ、廉価な製品を製造することができる。また、矩形開口部の長手方向の一方側に第１の軸受部を有し、他方側端部に第２の軸受部を有しているので、押しボタンを第１の軸受部又は第２の軸受部を介して回動自在に装着でき、押しボタンをひっくり返して使用できる。
【０００９】
特に、請求項２記載の多目的押しボタンスイッチ装置においては、角形ケース体の背面壁に、配線基板に連結されているピンジャックの装着孔と、配線基板に接続する配線コードＢ、Ｃが接続される第１、第２の配線取付け孔とが設けられ、しかも、ピンジャックの装着孔と第１、第２の配線取付け孔が取り外し可能な盲蓋によって覆われているので、盲蓋を取り外すことにより、ピンジャック及び配線コードＢ、Ｃのいずれか１又は２以上を接続して、機能を拡張することができると共に、ピンジャック及び配線コードＢ、Ｃを接続しない場合には、盲蓋によって装着孔及び第１及び第２の配線取付け孔を隠すことができ、美観を損なうことがない。
【００１０】
請求項３記載の多目的押しボタンスイッチ装置においては、ピンジャックの装着孔が上側ケースに形成され、第１、第２の配線取付け孔が下側ケースに形成されているので、配線基板の上下にピンジャック及び配線コードＢ、Ｃをそれぞれ搭載し、装置が小型化できる。
請求項４記載の多目的押しボタンスイッチ装置においては、角形ケース体及び押しボタンが、所定の範囲の寸法に形成されているので、身体障害者が使い易い。
【考案を実施するための最良の形態】
【００１１】
続いて、添付した図面を参照しつつ、本考案を具体化した実施の形態につき説明し、本考案の理解に供する。
ここで、図１（Ａ）〜（Ｅ）はそれぞれ本考案の一実施の形態に係る多目的押しボタンスイッチ装置の正面図、背面図、側面図、平面図、底面図、図２（Ａ）、（Ｂ）はそれぞれ同多目的押しボタンスイッチ装置の上側ケースの底面図、下側ケースの平面図、（Ｃ）は同多目的押しボタンスイッチ装置の押しボタンを取付けた上側ケースの説明図、図３（Ａ）は同多目的押しボタンスイッチ装置の側断面図、（Ｂ）は同多目的押しボタンスイッチ装置の押しボタンを押圧した状態を示す説明図、図４（Ａ）〜（Ｃ）はそれぞれ同多目的押しボタンスイッチ装置の配線基板の平面図、底面図、側面図、図５は同多目的押しボタンスイッチ装置のブロック図、図６は同多目的押しボタンスイッチ装置の他の使用例を示す説明図である。
【００１２】
図１〜図５を参照して、本考案の一実施の形態に係る多目的押しボタンスイッチ装置１０について説明する。
図１（Ａ）〜（Ｅ）、図２（Ａ）、（Ｂ）に示すように、多目的押しボタンスイッチ装置１０は、矩形の底部１１及び底部１１に一体的に連結する下壁部１２を有する下側ケース１３と、矩形開口部１４が形成された天井部１５及び天井部１５に一体的に連結する上壁部１６を有する上側ケース１７とを分離可能に連結した角形ケース体１８を有している。上側ケース１７の上壁部１６と下側ケース１３の下壁部１２は連結して、角形ケース体１８の正面壁１９、背面壁２０、右側面壁２１、及び左側面壁２２を構成している。
【００１３】
図２（Ａ）〜（Ｃ）に示すように、上側ケース１７の上部内側４隅には、ねじ下穴２３がそれぞれ設けられ、下側ケース１３の下部内側隅には、ねじ下穴２３に対応した位置にねじ挿通孔２４が設けられており、下側ケース１３の下方から４本のねじ２５をそれぞれねじ挿通孔２４及びねじ下穴２３に螺着して、上側ケース１７と下側ケース１３とを一体化する。
ここで、角形ケース体１８は、平面視して幅が５〜８ｃｍ、長さが８〜１２ｃｍ、及び高さが２〜４ｃｍ（本実施の形態では、幅が６．９ｃｍ、長さが１１．２ｃｍ、高さが３ｃｍ）となっている。また、上側ケース１７及び下側ケース１３の高さは、それぞれ１〜２ｃｍ（本実施の形態では、１．６ｃｍであって、連結により重なり部分がでるため角形ケース体１８の高さは３ｃｍとなる）となっている。また、矩形開口部１４は、天井部１５よりも小さくかつ幅が３〜５ｃｍ及び長さが６〜１０ｃｍ（本実施の形態では、幅が４．５ｃｍ、長さが７．５ｃｍ）に形成されている。
【００１４】
図２（Ａ）及び図３（Ａ）に示すように、角形ケース体１８の天井部１５には、正面壁１９から背面壁２０に渡って長い矩形開口部１４の長手方向の一方側及び他方側の内側端部に第１及び第２の軸受部２６、２７がそれぞれ設けられている。
更に、図１、図２（Ｃ）に示すように、多目的押しボタンスイッチ装置１０は、第１及び第２の軸受部２６、２７のいずれか一方を介して回動自在に装着され、かつ弾性部材の一例であるばね２８によって押し戻し可能な押しボタン２９を有している。押しボタン２９は、角形ケース体１８の天井部１５から、例えば、１〜３ｃｍ（本実施の形態では、２．５ｃｍ）突出した状態で配置されている。
【００１５】
また、角形ケース体１８の天井部１５の内側周囲には、角形ケース体１８に内蔵される配線基板３０を図示しないねじによって固定する円筒状の基板固定部材３１が４つ設けられている。下側ケース１３内の底部１１には、配線基板３０を支持する円筒状の支持部材３２が２つ設けられている。また、下側ケース１３内の底部１１には、配線基板３０に設けられた４つの貫通孔３３に挿通し、配線基板３０を固定する棒状の挿通部材３４が設けられている。
【００１６】
また、角形ケース体１８の正面壁１９の中央部で上側ケース１７と下側ケース１３の連結部３５には、配線基板３０に搭載され、例えば、赤外線を発生する発光ダイオード３６の先部が覗く窓部３７が設けられている。多目的押しボタンスイッチ装置１０は、窓部３７から発光ダイオード３６の先端を覗かせて、発光ダイオード３６から赤外線を発生することによりテレビ等を制御するリモコンとして使用できる。なお、発光ダイオード３６の代わりに窓部３７から接続コード３６ａ（図６参照）を通過させて、例えば、チャイムコール等の呼出装置用のスイッチとして使用することもできる。このように、１つの角形ケース体１８を多目的に使用できる。これによって、個々に製品の数量が少ない場合でも複数種類の機器にこの多目的押しボタンスイッチ装置１０を用いることによって、各多目的押しボタンスイッチ装置１０の金型費用の負担率を下げて、廉価にすることができる。
【００１７】
ここで、図４（Ａ）〜（Ｃ）に示すように、配線基板３０は、長手方向他方側の角が切り欠きされた矩形板状となっており、実質的に角形ケース体１８内の上側ケース１７と下側ケース１３との連結部分に水平に配置され、基板固定部材３１に対応する位置に設けられたねじ孔３７ａにねじを螺着して上側ケース１７に固定され、下側ケース１３の支持部材３２によって支持されている。配線基板３０には、窓部３７に先部が覗くように配置される発光ダイオード３６が搭載されている。また、配線基板３０上の長手方向両端部には、第１及び第２の軸受部２６、２７のいずれか一方に取付けられた押しボタン２９が押圧された際に、押しボタン２９が接触してオンオフ信号を発生する第１及び第２のスイッチ本体（即ち、接点）３８、３９がそれぞれ設けられている。
【００１８】
更に、配線基板３０上には、長手方向他端部側（ここでは、背面壁２０側）中央に図示しない外部装置（例えば、呼出装置等）に接続されたプラグ（雄型コネクター）を取付け可能なピンジャック（雌型コネクター）４０が設けられ、また、ピンジャック４０を中央にして幅方向両側位置に対応する配線基板３０の下側（裏面側）には、それぞれ図示しない配線コードを取付け可能な配線コード取付け部４１、４２が設けられている。配線基板３０は、上側に配線基板３０を制御するワンチップマイコンで構成されて、内部に図示しないタイマーが設けられた制御部４３、及びブザー４４が搭載され、下側には発光ダイオード３６、制御部４３、及びブザー４４の電源となる電池４５と、制御部４３の設定を行うディップスイッチ４６が配置されている。電池４５は、図示しない電池ケースに収納されている。なお、上側ケース１７及び下側ケース１３は、これらの機器（又はパーツ）を収納可能な高さに形成されている。
【００１９】
角形ケース体１８の上側ケース１７側の背面壁２０には、配線基板３０のピンジャック４０へプラグを装着するための装着孔４７が設けられ、角形ケース体１８の下側ケース１３側の背面壁２０には、配線基板３０の配線コード取付け部４１、４２に接続する配線コードがそれぞれ挿通される第１、第２の配線取付け孔４８、４９が設けられている。
ピンジャック４０の装着孔４７は、取り外し可能な盲蓋５０によって覆われている。盲蓋５０は、上側ケース１７と一体的、かつ、周囲よりも肉薄に形成されている。ここで、ピンジャック４０にプラグを接続する際には肉薄の盲蓋５０を、ペンチやニッパー等を用いて取り外して使用する。また、配線取付け孔４８、４９は、上側ケース１７の背面壁２０の下側に突出して形成される盲蓋５１、５２によって、上側ケース１７と下側ケース１３を連結した際にそれぞれ塞がれるようになっている。盲蓋５１、５２の背面側基部には、盲蓋５１、５２をペンチやニッパー等を用いて除去する際のガイドとなる肉薄の溝５１ａ、５２ａがそれぞれ設けられている。ここで、配線コード取付け部４１、４２に配線コードを接続する際には、盲蓋５１、５２を溝５１ａ、５２ａに沿って折り曲げて、盲蓋５１、５２を取り外して使用する。
【００２０】
図５に示すように、ピンジャック４０には、多目的押しボタンスイッチ装置１０の外部から接続可能な呼出装置（例えば、ナースコール等のチャイムコール）５３のコードの先端に設けられたプラグが接続可能となっている。また、配線コード取付け部４１には、多目的押しボタンスイッチ装置１０の外部から接続可能な動作スイッチ等の外部入力装置５４が接続可能となっている。更に、配線コード取付け部４２には、発光ダイオード３６と同様の発光を行うことができる発光ダイオード等を備えた外部出力装置５５が接続可能となっている。
多目的押しボタンスイッチ１０は、配線基板３０に搭載された発光ダイオード３６から赤外線を発生することによりテレビ等を制御するリモコンとして使用できると共に、配線基板３０に搭載されたピンジャック４０にチャイムコール等の呼出装置５３のプラグを接続することにより呼出装置用スイッチとしても使用できる。このように、１つの配線基板３０を共用できるので、多目的押しボタンスイッチ装置１０を廉価にすることができる。
【００２１】
次に、多目的押しボタンスイッチ装置１０を、例えば、テレビのリモコンとして使用する方法について説明する。
多目的押しボタンスイッチ装置１０は、押しボタン２９の押圧時間を制御部４３のタイマーで測定し、その測定時間によって制御部４３が演算を行い、発光ダイオード３６から所定の周波数で赤外線を発光して、テレビの電源のオンオフ及びチャンネルの変更を行うようになっている。
【００２２】
まず、押しボタン２９を第２の軸受部２７に装着し、配線基板３０のねじ孔３７ａを上側ケース１７の基板固定部材３１の位置に合わせ、ねじによって配線基板３０を上側ケース１７に固定する。この場合、押しボタン２９の押圧によって第２のスイッチ本体３９がオンとなる。なお、押しボタン２９を第１の軸受部２６に装着した場合には、押しボタン２９の押圧によって第１のスイッチ本体３８がオンとなる。これによって、角形ケース体１８に対して押しボタン２９の方向を変えることができる。次に、配線基板３０の裏面側のディップスイッチ４６を、使用するテレビに合わせて予め決められた状態に設定した後、上側ケース１７のねじ下穴２３及び下側ケース１３のねじ挿通孔２４の位置を合わせ、下側ケース１３のねじ挿通孔２４からねじ２５を入れてねじ下穴２３に強制的に螺着して多目的押しボタンスイッチ装置１０を組み立てる。
【００２３】
多目的押しボタンスイッチ装置１０は、図３（Ｂ）に示すように、押しボタン２９を押すことによって、第２のスイッチ本体３９がオンとなり、第２のスイッチ本体３９がオンとなっている時間（押し続けている時間）は制御部４３のタイマーによって測定される。ここで、押しボタン２９の押圧時間が、例えば１秒間未満の場合には、テレビのチャンネルを変更するという設定となり、更に、押しボタン２９を押す毎にチャンネルが順次変更するように発光ダイオード３６から赤外線が照射される。また、押しボタン２９の押圧時間が１秒以上の場合には、テレビの電源がオンオフする（テレビがついているときにはオフになり、テレビが消えているときにはオンとなる）ように設定される。
【００２４】
なお、前記した動作をさせるような押しボタン２９の押圧時間はこの限りではなく、身体障害者に合わせて変えることもできる。また、音量の調整、音声切替、入力切替、画面表示、及び消音等のいずれか１又は２以上の機能を有するプログラムを制御部４３に記憶させ、押しボタン２９の押圧によってそれぞれの機能を発揮するように切り替えてもよい。更に、多目的押しボタンスイッチ装置１０の盲蓋５０を取り除き、ピンジャック４０に呼出装置５３を接続し、呼出装置５３の押圧によって、ブザー４４から警報音を発生させてもよい。また、盲蓋５１を取り除いて配線コード取付け部４１に身体障害者に合わせた押しボタンスイッチ等の外部入力装置５４を取付けてもよく、盲蓋５２を取り除いて配線コード取付け部４２に発光ダイオード等を備えた外部出力装置５５を取付けてもよい。
【００２５】
次に、図６を参照して、多目的押しボタンスイッチ装置１０を、例えば、呼出装置用のスイッチとして使用する方法について説明する。
角形ケース体１８内に水平に配置される配線基板３０に搭載される発光ダイオード３６が角形ケース体１８の背面壁２０側に、ピンジャック４０及び第１、第２の配線コード取付け部４１、４２が正面壁１９側に向くように配置し、更に、配線コード取付け部４２に取付けた接続コード３６ａを窓部３７から挿通させ、角形ケース体１８外に出た接続コード３６ａの先端に設けられた図示しないプラグを、例えば、図示しない呼出装置接続部に接続する。この多目的押しボタンスイッチ装置１０の押しボタン２９の押圧によって、スイッチ信号を送信すると共に、配線基板３０に取付けられたブザー４４を鳴らすこともできる。
【００２６】
本考案は、前記した実施の形態に限定されるものではなく、本考案の要旨を変更しない範囲での変更は可能であり、例えば、前記した実施の形態や変形例の一部又は全部を組み合わせて本考案の多目的押しボタンスイッチ装置を構成する場合も本考案の権利範囲に含まれる。
例えば、前記実施の形態の多目的押しボタンスイッチ装置において、窓部から発光ダイオードを覗かせたが、配線基板に接続された接続コードを通過させ、ビデオデッキ、ＤＶＤプレーヤー、又はエアコン等の電気機器の操作にも応用できる。
【図面の簡単な説明】
【００２７】
【図１】（Ａ）〜（Ｅ）はそれぞれ本考案の一実施の形態に係る多目的押しボタンスイッチ装置の正面図、背面図、側面図、平面図、底面図である。
【図２】（Ａ）、（Ｂ）はそれぞれ同多目的押しボタンスイッチ装置の上側ケースの底面図、下側ケースの平面図、（Ｃ）は同多目的押しボタンスイッチ装置の押しボタンを取付けた上側ケースの説明図である。
【図３】（Ａ）は同多目的押しボタンスイッチ装置の側断面図、（Ｂ）は同多目的押しボタンスイッチ装置の押しボタンを押圧した状態を示す説明図である。
【図４】（Ａ）〜（Ｃ）はそれぞれ同多目的押しボタンスイッチ装置の配線基板の平面図、底面図、側面図である。
【図５】同多目的押しボタンスイッチ装置のブロック図である。
【図６】同多目的押しボタンスイッチ装置の他の使用例を示す説明図である。
【符号の説明】
【００２８】
１０：多目的押しボタンスイッチ装置、１１：底部、１２：下壁部、１３：下側ケース、１４：矩形開口部、１５：天井部、１６：上壁部、１７：上側ケース、１８：角形ケース体、１９：正面壁、２０：背面壁、２１：右側面壁、２２：左側面壁、２３：ねじ下穴、２４：ねじ挿通孔、２５ねじ、２６：第１の軸受部、２７：第２の軸受部、２８：ばね、２９：押しボタン、３０：配線基板、３１：基板固定部材、３２：支持部材、３３：貫通孔、３４：挿通部材、３５：連結部、３６：発光ダイオード、３６ａ：接続コード、３７：窓部、３７ａ：ねじ孔、３８：第１のスイッチ本体、３９：第２のスイッチ本体、４０：ピンジャック、４１、４２：配線コード取付け部、４３：制御部、４４：ブザー、４５：電池、４６：ディップスイッチ、４７：装着孔、４８：第１の配線取付け孔、４９：第２の配線取付け孔、５０、５１：盲蓋、５１ａ：溝、５２：盲蓋、５２ａ：溝、５３：呼出装置、５４：外部入力装置、５５：外部出力装置
【図１】
0003113294.tif 000003
【図２】
0003113294.tif 000004
【図３】
0003113294.tif 000005
【図４】
0003113294.tif 000006
【図５】
0003113294.tif 000007
【図６】
0003113294.tif 000008